(57)【要約】【課題】入力安定度を向上しつつ、消費電流を低減することが可能なレギュレータ回路を提供する。【解決手段】レギュレータ回路１００は、直流電源１が接続される入力端子２と、出力電圧を出力するための出力端子３と、入力端子２に一端が接続された第１、第２のフィルタ回路６ａ、６ｂと、第１のフィルタ回路６ａの他端に一端が接続された第１の定電流源７と、第２のフィルタ回路６ｂの他端に一端が接続された第２の定電流源８と、第１の定電流源７から電流を供給され基準電圧を出力するバンドギャップ回路９と、出力電圧を分圧し、この分圧した分圧電圧を出力する帰還抵抗回路１０と、第２の定電流源８から電流が供給され、分圧電圧が反転入力端子に入力されるとともに基準電圧が非反転入力端子に入力され、分圧電圧および基準電圧に応じて出力電圧を出力端子３に出力するレギュレータアンプ１１と、を備える。【選択図】図１
2008269233.tif 000002
【特許請求の範囲】
【請求項１】
直流電源が接続される入力端子と、
出力電圧を出力するための出力端子と、
前記入力端子に一端が接続された第１の抵抗、およびこの第１の抵抗の他端と接地との間に接続された第１の容量を有する第１のフィルタ回路と、
前記入力端子に一端が接続された第２の抵抗、およびこの第２の抵抗の他端と接地との間に接続された第２の容量を有する第２のフィルタ回路と、
前記第１の抵抗の他端に一端が接続された第１の定電流源と、
前記第２の抵抗の他端に一端が接続された第２の定電流源と、
前記第１の定電流源の他端と前記接地との間に接続され、前記第１の定電流源から電流を供給され基準電圧を出力するバンドギャップ回路と、
前記出力電圧を分圧し、この分圧した分圧電圧を出力する帰還抵抗回路と、
第２の定電流源の他端と接地との間に接続され、前記第２の定電流源から電流が供給され、前記分圧電圧が反転入力端子に入力されるとともに前記基準電圧が非反転入力端子に入力され、前記分圧電圧および前記基準電圧に応じて前記出力電圧を前記出力端子に出力するレギュレータアンプと、を備える
ことを特徴とするレギュレータ回路。
【請求項２】
直流電源が接続される入力端子と、
出力電圧を出力するための出力端子と、
前記入力端子に一端が接続された第１の抵抗、およびこの第１の抵抗の他端と接地との間に接続された第１の容量を有する第１のフィルタ回路と、
前記入力端子に一端が接続された第２の抵抗、およびこの第２の抵抗の他端と前記接地との間に接続された第２の容量を有する第２のフィルタ回路と、
前記第１の抵抗の他端に一端が接続された第１のトランジスタと、
前記第１のトランジスタの他端と前記接地との間に接続された第１の定電流源と、
前記第１のトランジスタの一端に一端が接続され、前記第１のトランジスタの信号入力端子に信号入力端子が接続され、前記第１のトランジスタに流れる第１の電流をミラーした第２の電流が流れる第２のトランジスタと、
前記第２のトランジスタの他端と前記接地との間に接続され、前記第２の電流を供給され基準電圧を出力するバンドギャップ回路と、
前記第２の抵抗の他端に一端が接続された第３のトランジスタと、
前記第３のトランジスタの他端と前記接地との間に接続された第２の定電流源と、
前記第３のトランジスタの一端に一端が接続され、前記第３のトランジスタの信号入力端子に信号入力端子が接続され、前記第３のトランジスタに流れる第３の電流をミラーした第４の電流が流れる第４のトランジスタと、
前記出力電圧を分圧し、この分圧した分圧電圧を出力する帰還抵抗回路と、
前記第４のトランジスタの他端と前記接地との間に接続され、前記第４の電流が供給され、前記分圧電圧が反転入力端子に入力されるとともに前記基準電圧が非反転入力端子に入力され、前記分圧電圧および前記基準電圧に応じて前記出力電圧を前記出力端子に出力するレギュレータアンプと、を備える
ことを特徴とするレギュレータ回路。
【請求項３】
前記第２の定電流源は、
前記第１のトランジスタの一端に一端が接続され、前記第１のトランジスタの信号入力端子に信号入力端子が接続され、前記第１のトランジスタに流れる第１の電流をミラーした第５の電流が流れる第５のトランジスタと、
前記第５のトランジスタの他端と前記接地との間に接続された第６のトランジスタと、
前記第３のトランジスタの他端と前記接地との間に接続され、前記第６のトランジスタに流れる電流をミラーした電流が流れる第７のトランジスタと、を有する
ことを特徴とする請求項２に記載のレギュレータ回路。
【請求項４】
前記第１のトランジスタないし第７のトランジスタは、バイポーラトランジスタまたはＭＯＳトランジスタである
ことを特徴とする請求項２または３に記載のレギュレータ回路。
【発明の詳細な説明】
【技術分野】
【０００１】
本発明は、出力電圧を一定に制御するレギュレータ回路に関する。
【背景技術】
【０００２】
近年、例えば、車載用電源ICは、電装部品の増加に伴い、スタンバイ時の低消費電流化が強く求められるようになってきている。
【０００３】
この車載用電源ICに用いられるレギュレータ回路には、例えば、直流電源が接続される入力端子に一端が接続された第１、第２の定電流源と、該第１の定電流源から電流を供給され、基準電圧を出力するバンドギャップ回路と、出力電圧を分圧し、この分圧した分圧電圧を出力する帰還抵抗回路と、該第２の定電流源から電流を供給され、該分圧電圧および該基準電圧に応じて該出力電圧を出力するレギュレータアンプと、とを備えるものがある。
【０００４】
しかし、上記従来のレギュレータ回路では、動作限界近くまで該第１、第２の定電流源の出力電流を小さくすると、入力電圧の変動に対する出力電圧の変動が大きくなる。これにより、該レギュレータ回路の入力安定度が、悪化し得るという問題がある。
【０００５】
このような入力安定度の悪化に対し、他の従来のレギュレータ回路には、例えば、直流電源が接続される入力端子に一端が接続された第１の定電流源と、この第１の定電流源の他端にカソードが接続され、アノードが接地に接続されたツェナーダイオードと、該第１の定電流源の一端にコレクタが接続され、該第１の定電流源の他端にベースが接続されたＮＰＮ型バイポーラトランジスタと、このバイポーラトランジスタのエミッタに一端が接続された第２、第３の定電流源と、該第２の定電流源から電流を供給され、基準電圧を出力するバンドギャップ回路と、出力電圧を分圧し、この分圧した分圧電圧を出力する帰還抵抗回路と、該第３の定電流源から電流を供給され、該分圧電圧および該基準電圧に応じて該出力電圧を出力するレギュレータアンプと、を備えるものがある（例えば、非特許文献１参照。）。なお、該第１の定電流源、該定電流源、および該バイポーラトランジスタにより定電圧回路が構成される。
【０００６】
ここで、上記従来のレギュレータ回路では、ＶＩＮ＞Ｖｚ−ＶＦ＋ＶＣＥであれば、該第２、第３の定電流源に供給される電圧は、Ｖｚ−ＶＦで安定する。なお、入力電圧をＶＩＮ、ツェナー電圧をＶｚ、該バイポーラトランジスタのコレクタ−エミッタ間電圧をＶＣＥ、該バイポーラトランジスタのＶＢＥをＶＦとする。
【０００７】
上記条件の下では、出力電圧ＶＯＵＴは、入力電圧ＶＩＮの変動の影響を直接受けないので、入力安定度が高くなる。
【０００８】
しかし、該レギュレータ回路では、該ツェナーダイオードのクランプ電圧が安定するのに必要な定電流を常時流す必要がある。したがって、第２、第３の定電流源から出力される電流を削減しても、ＩＣ全体としての低消費電流化を実現できない。
【０００９】
また、ＶＩＮ≦Ｖｚ−ＶＦ＋ＶＣＥの条件の下では、該定電圧回路から第２、第３の定電流源に出力される電圧の最小値が、該ツェナーダイオードの温度特性を含めた特性で制限されてしまう。
【００１０】
ここで、さらに他の従来技術には、電力供給電源と、この電力供給電源とフィルタノードとの間に接続されたＣＲフィルタと、該フィルタノードと電力供給ノードとの間に接続されたバンドギャップ回路と、を備える電圧基準回路がある（例えば、特許文献１参照。）。
【００１１】
この従来の電圧基準回路は、ＣＲフィルタを介してバンドギャップ回路に電力供給されるため、供給電圧上の雑音等の影響を低減し、より安定した基準電圧を出力することができる。
【００１２】
しかし、上記従来技術は、上述のように、単に、バンドギャップ回路に安定した電力を供給することを意図するものであり、レギュレータ回路におけるレギュレータアンプの動作によるバイアス回路の動作に対する影響を考慮するものではない。
【非特許文献１】「ＴＡ８０４４Ｆ」、自動車・汎用バイポーラＩＣ、株式会社東芝セミコンダクター社、２００３年３月、第１巻、ｐ．１５７−１６４
【特許文献１】特開平１１−２３１９４８
【発明の開示】
【発明が解決しようとする課題】
【００１３】
本発明は、入力安定度を向上しつつ、消費電流を低減することが可能なレギュレータ回路を提供することを目的とする。
【課題を解決するための手段】
【００１４】
本発明の一態様に係るレギュレータ回路は、
直流電源が接続される入力端子と、
出力電圧を出力するための出力端子と、
前記入力端子に一端が接続された第１の抵抗、およびこの第１の抵抗の他端と接地との間に接続された第１の容量を有する第１のフィルタ回路と、
前記入力端子に一端が接続された第２の抵抗、およびこの第２の抵抗の他端と接地との間に接続された第２の容量を有する第２のフィルタ回路と、
前記第１の抵抗の他端に一端が接続された第１の定電流源と、
前記第２の抵抗の他端に一端が接続された第２の定電流源と、
前記第１の定電流源の他端と前記接地との間に接続され、前記第１の定電流源から電流を供給され基準電圧を出力するバンドギャップ回路と、
前記出力電圧を分圧し、この分圧した分圧電圧を出力する帰還抵抗回路と、
第２の定電流源の他端と接地との間に接続され、前記第２の定電流源から電流が供給され、前記分圧電圧が反転入力端子に入力されるとともに前記基準電圧が非反転入力端子に入力され、前記分圧電圧および前記基準電圧に応じて前記出力電圧を前記出力端子に出力するレギュレータアンプと、を備えることを特徴とする。
【００１５】
本発明の他の態様に係るレギュレータ回路は、
直流電源が接続される入力端子と、
出力電圧を出力するための出力端子と、
前記入力端子に一端が接続された第１の抵抗、およびこの第１の抵抗の他端と接地との間に接続された第１の容量を有する第１のフィルタ回路と、
前記入力端子に一端が接続された第２の抵抗、およびこの第２の抵抗の他端と前記接地との間に接続された第２の容量を有する第２のフィルタ回路と、
前記第１の抵抗の他端に一端が接続された第１のトランジスタと、
前記第１のトランジスタの他端と前記接地との間に接続された第１の定電流源と、
前記第１のトランジスタの一端に一端が接続され、前記第１のトランジスタの信号入力端子に信号入力端子が接続され、前記第１のトランジスタに流れる第１の電流をミラーした第２の電流が流れる第２のトランジスタと、
前記第２のトランジスタの他端と前記接地との間に接続され、前記第２の電流を供給され基準電圧を出力するバンドギャップ回路と、
前記第２の抵抗の他端に一端が接続された第３のトランジスタと、
前記第３のトランジスタの他端と前記接地との間に接続された第２の定電流源と、
前記第３のトランジスタの一端に一端が接続され、前記第３のトランジスタの信号入力端子に信号入力端子が接続され、前記第３のトランジスタに流れる第３の電流をミラーした第４の電流が流れる第４のトランジスタと、
前記出力電圧を分圧し、この分圧した分圧電圧を出力する帰還抵抗回路と、
前記第４のトランジスタの他端と前記接地との間に接続され、前記第４の電流が供給され、前記分圧電圧が反転入力端子に入力されるとともに前記基準電圧が非反転入力端子に入力され、前記分圧電圧および前記基準電圧に応じて前記出力電圧を前記出力端子に出力するレギュレータアンプと、を備えることを特徴とする。
【発明の効果】
【００１６】
本発明の一態様に係るレギュレータ回路によれば、入力安定度を向上しつつ、消費電流を低減することができる。
【発明を実施するための最良の形態】
【００１７】
以下、本発明を適用した各実施例について図面を参照しながら説明する。
【実施例１】
【００１８】
本実施例では、直流電源と内部回路との間に、バンドギャップ回路とレギュレータアンプとに対応して、ＣＲフィルタを２つ挿入する構成の一例について述べる。
【００１９】
図１は、本発明の一態様である実施例１に係るレギュレータ回路の構成を示す回路図である。
【００２０】
図１に示すように、レギュレータ回路１００は、電圧Ｖｉｎを出力する直流電源１が接続される入力端子２と、出力電圧Ｖｏｕｔを出力するための出力端子３と、を備える。
【００２１】
また、レギュレータ回路１００は、入力端子２に一端が接続された第１の抵抗４ａ、およびこの第１の抵抗４ａの他端と接地との間に接続された第１の容量５ａを有する第１のフィルタ回路６ａと、入力端子２に一端が接続された第２の抵抗４ｂ、およびこの第２の抵抗４ｂの他端と接地との間に接続された第２の容量５ｂを有する第２のフィルタ回路６ｂと、を備える。
【００２２】
第１、第２のフィルタ回路６ａ、６ｂは、ＣＲフィルタとして機能する。すなわち、直流電源１から第１、第２のフィルタ回路６ａ、６ｂを介して安定した電圧が出力されるようになっている。
【００２３】
また、レギュレータ回路１００は、第１の定電流源７の他端と接地との間に接続されたバンドギャップ回路９を備える。このバンドギャップ回路９は、第１の定電流源７から電流Ｉ１を供給され基準電圧Ｖｒｅｆを出力するようになっている。
【００２４】
また、レギュレータ回路１００は、出力電圧Ｖｏｕｔを分圧し、この分圧した分圧電圧Ｖｄを出力する帰還抵抗回路１０と、第２の定電流源８の他端と接地との間に接続され、分圧電圧Ｖｄが反転入力端子に入力されるとともに基準電圧Ｖｒｅｆが非反転入力端子に入力され、出力が出力端子３に接続されたレギュレータアンプ１１と、を備える。
【００２５】
帰還抵抗回路１０は、出力端子３と接地との間に直列に接続され、出力電圧Ｖｏｕｔを分圧する第１の分圧抵抗１０ａおよび第２の分圧抵抗１０ｂを有する。
【００２６】
レギュレータアンプ１１は、第２の定電流源８から電流Ｉ２が供給され、分圧電圧Ｖｄおよび基準電圧Ｖｒｅｆに応じて、すなわち分圧電圧Ｖｄと基準電圧Ｖｒｅｆとの電位差がゼロになるように、出力電圧Ｖｏｕｔを出力端子３に出力するようになっている。
【００２７】
以上のような構成を有するレギュレータ回路１００の動作について説明する。
【００２８】
先ず、直流電源１から第１、第２のフィルタ回路６ａ、６ｂを介して電圧が第１、第２の定電流源７、８に供給され、第１、第２の電流Ｉ１、Ｉ２が出力される。バンドギャップ回路９およびレギュレータアンプ１１は、この第１、第２の電流Ｉ１、Ｉ２が供給され動作する。このとき、バンドギャップ回路９は、基準電圧Ｖｒｅｆを出力する。
【００２９】
例えば、出力端子３に接続された負荷回路の影響により出力電圧Ｖｏｕｔが変動すると、分圧電圧Ｖｄも変動する。そこで、レギュレータアンプ１１は、既述のように、この分圧電圧Ｖｄと基準電圧Ｖｒｅｆとの電位差がゼロになるように、出力電圧Ｖｏｕｔを出力端子３に出力する。これにより、出力電圧Ｖｏｕｔが一定に保たれることとなる。
【００３０】
ここで、直流電源１から出力される入力電圧Ｖｉｎが変動しても、第１、第２のフィルタ回路６ａ、６ｂを介して出力される電圧は安定している。これにより、バンドギャップ回路９が出力する基準電圧Ｖｒｅｆが安定するとともに、レギュレータアンプ１１の動作も安定することとなる。すなわち、レギュレータアンプ１１は安定した出力電圧Ｖｏｕｔを出力することができる。
【００３１】
このように、レギュレータ回路１００は、従来のレギュレータ回路と比較して入力電圧Ｖｉｎに対する出力電圧Ｖｏｕｔの変動割合が小さくなる。これにより、第１、第２の電流Ｉ１、Ｉ２を小さくすることができ低消費電流化を図ることができる。
【００３２】
なお、該従来のレギュレータ回路と比較して、第１、第２の容量５ａ、５ｂを追加することによりチップサイズが拡大し得る。しかし、電流Ｉ１、Ｉ２をより小さくできるので、第１、第２の抵抗４ａ、４ｂの抵抗値を大きくして第１、第２の容量５ａ、５ｂの容量値を小さくすることができる。すなわち、チップサイズに対する第１、第２の容量５ａ、５ｂの面積の割合を小さくすることができる。
【００３３】
ここで、例えば、バンドギャップ回路９に供給される第１の電流Ｉ１よりも、レギュレータアンプ１１に供給される第２の電流Ｉ２の方が大きく設定される。これにより、例えば、バンドギャップ回路９とレギュレータアンプ１１に電流を供給する定電流源を構成するミラー回路のバイアスラインが共通である場合、レギュレータアンプ１１の動作の影響がバンドギャップ回路９の動作に影響し得る。
【００３４】
しかし、本実施例においては、バンドギャップ回路９に電流を供給する第１の定電流源７と、レギュレータアンプ１１に電流を供給する第２の定電流源８と別々に設けられ分離されている。これにより、バンドギャップ回路９の動作（基準電圧Ｖｒｅｆの出力値）に対するレギュレータアンプ１１の動作の影響を低減できる。すなわち、バンドギャップ電圧（基準電圧Ｖｒｅｆ）が安定するので出力電圧Ｖｏｕｔの変動をより低減することができる。
【００３５】
以上のように、本実施例に係るレギュレータ回路によれば、入力安定度を向上しつつ、消費電流を低減することができる。
【００３６】
また、本実施例においては、該従来のレギュレータ回路におけるツェナーダイオードを用いる該定電圧回路の動作条件（ＶＩＮ＞Ｖｚ−ＶＦ＋ＶＣＥ）を考慮する必要がない。したがって、本実施例は、該従来のレギュレータ回路と比較して、直流電源の電圧を低く（レギュレータアンプが動作できる最低電圧まで）設定することができる。
【実施例２】
【００３７】
実施例１では、直流電源と内部回路との間に、バンドギャップ回路とレギュレータアンプとに対応して、ＣＲフィルタを２つ挿入する構成の一例について説明した。
【００３８】
本実施例では、直流電源と内部回路との間に、バンドギャップ回路とレギュレータアンプとに対応して、ＣＲフィルタを２つ挿入するより具体的な構成の一例について述べる。
【００３９】
図２は、本発明の一態様である実施例２に係るレギュレータ回路の構成を示す回路図である。なお、図２において図１の符号と同じ符号は実施例１と同様の構成を示す。
【００４０】
図２に示すように、レギュレータ回路２００は、電圧Ｖｉｎを出力する直流電源１が接続される入力端子２と、出力電圧Ｖｏｕｔを出力するための出力端子３と、を備える。
【００４１】
また、レギュレータ回路２００は、入力端子２に一端が接続された第１の抵抗４ａ、およびこの第１の抵抗４ａの他端と接地との間に接続された第１の容量５ａを有する第１のフィルタ回路６ａと、入力端子２に一端が接続された第２の抵抗４ｂ、およびこの第２の抵抗４ｂの他端と接地との間に接続された第２の容量５ｂを有する第２のフィルタ回路６ｂと、を備える。
【００４２】
第１、第２のフィルタ回路６ａ、６ｂは、実施例１と同様に、ＣＲフィルタとして機能する。すなわち、直流電源１から第１、第２のフィルタ回路６ａ、６ｂを介して安定した電圧が出力されるようになっている。
【００４３】
また、レギュレータ回路２００は、第１の抵抗４ａの他端に一端（エミッタ）が接続されたＰＮＰ型バイポーラトランジスタである第１のトランジスタ１２と、この第１のトランジスタ１２の他端（コレクタ）と接地との間に接続された第１の定電流源１３と、第１のトランジスタ１２の一端（エミッタ）に一端（エミッタ）が接続され、第１のトランジスタ１２の信号入力端子（ベース）に信号入力端子（ベース）が接続されたＰＮＰ型バイポーラトランジスタである第２のトランジスタ１４と、第１のトランジスタ１２の信号入力端子（ベース）に一端（エミッタ）が接続され、第１のトランジスタ１２の他端（コレクタ）に信号入力端子（ベース）が接続され、接地に他端（コレクタ）が接続されたＰＮＰ型バイポーラトランジスタである第１の補償トランジスタ１５と、を備える。
【００４４】
このように、第１のトランジスタ１２と第２のトランジスタ１４とはミラー回路を構成する。すなわち、第２のトランジスタ１４には、第１のトランジスタ１２に流れる第１の電流Ｉ２０１をミラーした第２の電流Ｉ２０２が流れるようになっている。
【００４５】
なお、ミラー回路を構成するための第１の補償トランジスタ１５の接続に代えて、第１のトランジスタ１２をダイオード接続するようにしてもよい。
【００４６】
また、レギュレータ回路２００は、第２のトランジスタ１４の他端（コレクタ）と接地との間に接続されたバンドギャップ回路９を備える。このバンドギャップ回路９は、第１の電流Ｉ２０２を供給され基準電圧Ｖｒｅｆを出力するようになっている。
【００４７】
また、レギュレータ回路２００は、第２の抵抗４ｂの他端に一端（エミッタ）が接続されたＰＮＰ型バイポーラトランジスタである第３のトランジスタ１６と、この第３のトランジスタ１６の他端（コレクタ）と接地との間に接続された第２の定電流源１７と、第３のトランジスタ１６の一端（エミッタ）に一端（エミッタ）が接続され、第３のトランジスタ１６の信号入力端子（ベース）に信号入力端子（ベース）が接続されたＰＮＰ型バイポーラトランジスタである第４のトランジスタ１８と、第３のトランジスタ１６の信号入力端子（ベース）に一端（エミッタ）が接続され、第３のトランジスタ１６の他端（コレクタ）に信号入力端子（ベース）が接続され、接地に他端（コレクタ）が接続されたＰＮＰ型バイポーラトランジスタである第２の補償トランジスタ１９と、を備える。
【００４８】
このように、第３のトランジスタ１６と第４のトランジスタ１８とはミラー回路を構成する。すなわち、第４のトランジスタ１８には、第３のトランジスタ１６に流れる第３の電流Ｉ２０３をミラーした第４の電流Ｉ２０４が流れるようになっている。
【００４９】
なお、ミラー回路を構成するための第２の補償トランジスタ１９の接続に代えて、第３のトランジスタ１６をダイオード接続するようにしてもよい。
【００５０】
ここで、第２の定電流源１７は、例えば、第１のトランジスタ１２の一端（エミッタ）に一端（エミッタ）が接続され、第１のトランジスタ１２の信号入力端子（ベース）に信号入力端子（ベース）が接続されたＰＮＰ型バイポーラトランジスタである第５のトランジスタ１７ａと、この第５のトランジスタ１７ａの他端（コレクタ）と接地との間に接続され、ダイオード接続されたＮＰＮ型バイポーラトランジスタである第６のトランジスタ１７ｂと、第３のトランジスタ１６の他端（コレクタ）と接地との間に接続され、第６のトランジスタ１７ｂの信号入力端子（ベース）に信号入力端子（ベース）が接続された第７のトランジスタ１７ｃと、を有する。
【００５１】
このように、第１のトランジスタ１２と第５のトランジスタ１７ａとはミラー回路を構成する。すなわち、第５のトランジスタ１７ａは、第１のトランジスタ１２に流れる第１の電流Ｉ２０１をミラーした第５の電流Ｉ２０５が流れるようになっている。
【００５２】
また、第６のトランジスタ１７ｂと第７のトランジスタ１７ｃとはミラー回路を構成する。すなわち、第７のトランジスタ１７ｃは、第６のトランジスタ１７ｂに流れる電流をミラーした電流が流れるようになっている。
【００５３】
また、レギュレータ回路２００は、出力電圧Ｖｏｕｔを分圧し、この分圧した分圧電圧Ｖｄを出力する帰還抵抗回路１０と、第４のトランジスタ１８の他端（コレクタ）と接地との間に接続され、分圧電圧Ｖｄが反転入力端子に入力されるとともに基準電圧Ｖｒｅｆが非反転入力端子に入力され、出力が出力端子３に接続されたレギュレータアンプ１１と、を備える。
【００５４】
帰還抵抗回路１０は、出力端子３と接地との間に直列に接続され、出力電圧Ｖｏｕｔを分圧する第１の分圧抵抗１０ａおよび第２の分圧抵抗１０ｂを有する。
【００５５】
レギュレータアンプ１１は、第４の電流Ｉ２０４が供給され、分圧電圧Ｖｄおよび基準電圧Ｖｒｅｆに応じて、すなわち分圧電圧Ｖｄと基準電圧Ｖｒｅｆとの電位差がゼロになるように、出力電圧Ｖｏｕｔを出力端子３に出力するようになっている。
【００５６】
なお、バンドギャップ回路９の消費電流よりも、レギュレータアンプ１１の消費電流の方が大きい。すなわち、バンドギャップ回路９に供給される第２の電流Ｉ２０２よりも、レギュレータアンプ１１に供給される第４の電流Ｉ２０４の方が大きく設定されている。  以上のような構成を有するレギュレータ回路２００の動作について説明する。
【００５７】
先ず、直流電源１から第１、第２のフィルタ回路６ａ、６ｂを介して電圧が第１、第３のトランジスタ１２、１６に供給され、結果として、第２、第４の電流Ｉ２０２、Ｉ２０４が出力される。バンドギャップ回路９およびレギュレータアンプ１１は、この第２、第４の電流Ｉ２０２、Ｉ２０４が供給され動作する。このとき、バンドギャップ回路９は、基準電圧Ｖｒｅｆを出力する。
【００５８】
例えば、出力端子３に接続された負荷回路の影響により出力電圧Ｖｏｕｔが変動すると、分圧電圧Ｖｄも変動する。そこで、レギュレータアンプ１１は、既述のように、この分圧電圧Ｖｄと基準電圧Ｖｒｅｆとの電位差がゼロになるように、出力電圧Ｖｏｕｔを出力端子３に出力する。これにより、出力電圧Ｖｏｕｔが一定に保たれることとなる。
【００５９】
ここで、直流電源１から出力される入力電圧Ｖｉｎが変動しても、第１、第２のフィルタ回路６ａ、６ｂを介して出力される電圧は安定している。これにより、バンドギャップ回路９が出力する基準電圧Ｖｒｅｆが安定するとともに、レギュレータアンプ１１の動作も安定することとなる。すなわち、レギュレータアンプ１１は安定した出力電圧Ｖｏｕｔを出力することができる。
【００６０】
このように、レギュレータ回路２００は、従来のレギュレータ回路と比較して入力電圧Ｖｉｎに対する出力電圧Ｖｏｕｔの変動割合が小さくなる。これにより、第２、第４の電流Ｉ２０２、Ｉ２０４を小さくすることができ低消費電流化を図ることができる。
【００６１】
なお、該従来のレギュレータ回路と比較して、第１、第２の容量５ａ、５ｂを追加することによりチップサイズが拡大し得る。しかし、電流Ｉ２０２、Ｉ２０４をより小さくできるので、第１、第２の抵抗４ａ、４ｂの抵抗値を大きくして第１、第２の容量５ａ、５ｂの容量値を小さくすることができる。すなわち、チップサイズに対する第１、第２の容量５ａ、５ｂの面積の割合を小さくすることができる。
【００６２】
ここで、既述のように、バンドギャップ回路９に供給される第２の電流Ｉ２０２よりも、レギュレータアンプ１１に供給される第４の電流Ｉ２０４の方が大きく設定されている。これにより、例えば、バンドギャップ回路９とレギュレータアンプ１１のミラー回路のバイアスラインが共通である場合、レギュレータアンプ１１の動作の影響がバンドギャップ回路９の動作に影響し得る。
【００６３】
しかし、本実施例においては、バンドギャップ回路９に電流を供給するミラー回路のバイアスラインと、レギュレータアンプ１１に電流を供給するミラー回路のバイアスラインとが分離されている。これにより、バンドギャップ回路９の動作（基準電圧Ｖｒｅｆの出力値）に対するレギュレータアンプ１１の動作の影響を低減できる。すなわち、バンドギャップ電圧（基準電圧Ｖｒｅｆ）が安定するので出力電圧Ｖｏｕｔの変動をより低減することができる。
【００６４】
なお、バイアスラインの分離による消費電流の増加は、例えば、ミラー回路の折り返し電流（第３、第５の電流Ｉ２０３、Ｉ２０５）を小さくすることにより、低減することができる。
【００６５】
以上のように、本実施例に係るレギュレータ回路によれば、入力安定度を向上しつつ、消費電流を低減することができる。
【００６６】
また、本実施例においても、実施例１と同様に、該従来技術におけるツェナーダイオードを用いる該定電圧回路の動作条件（ＶＩＮ＞Ｖｚ−ＶＦ＋ＶＣＥ）を考慮する必要がない。したがって、本実施例は、該従来のレギュレータ回路と比較して、直流電源の電圧を低く（レギュレータアンプが動作できる最低電圧まで）設定することができる。
【００６７】
また、本実施例においては、レギュレータ回路を構成するトランジスタにバイポーラトランジスタを用いた場合について説明した。しかし、レギュレータ回路を構成するトランジスタに、信号入力端子をゲートとしてＭＯＳトランジスタを用いて構成してもよい。また、本実施例のレギュレータ回路と同様の動作をするように、回路の極性を変更してもよい。
【図面の簡単な説明】
【００６８】
【図１】本発明の一態様である実施例１に係るレギュレータ回路の構成を示す回路図である。
【図２】本発明の一態様である実施例２に係るレギュレータ回路の構成を示す回路図である。
【符号の説明】
【００６９】
１  直流電源
２  入力端子
３  出力端子
４ａ  第１の抵抗
４ｂ  第２の抵抗
５ａ  第１の容量
５ｂ  第２の容量
６ａ  第１のフィルタ回路
６ｂ  第２のフィルタ回路
７  第１の定電流源
８  第２の定電流源
９  バンドギャップ回路
１０  帰還抵抗回路
１０ａ  第１の分圧抵抗
１０ｂ  第２の分圧抵抗
１１  レギュレータアンプ
１２  第１のトランジスタ
１３  第１の定電流源
１４  第２のトランジスタ
１５  第１の補償トランジスタ
１６  第３のトランジスタ
１７  第２の定電流源
１７ａ  第５のトランジスタ
１７ｂ  第６のトランジスタ
１７ｃ  第７のトランジスタ
１８  第４のトランジスタ
１９  第２の補償トランジスタ
１００、２００  レギュレータ回路
【図１】
2008269233.tif 000003
【図２】
2008269233.tif 000004